(57)【要約】【課題】本発明は、マルチモード端末機でローミング中に通信サービスを制限する方法を提供することを目的とする。【解決手段】第１通信網に対応する第１無線通信モジュールと第２通信網に対応する第２無線通信モジュールとを含むデュアルモード端末がローミング（ｒｏａｍｉｎｇ）を行う方法が開示される。この方法は、第１通信網にキャンプオン（ｃａｍｐ  ｏｎ）してＰＬＭＮ（Ｐｕｂｌｉｃ  Ｌａｎｄ  Ｍｏｂｉｌｅ  Ｎｅｔｗｏｒｋ）識別子を獲得すること、該ＰＬＭＮ識別子に含まれたローミング判定情報と前記端末に保存されたローミング判定情報とを比較して、前記第１通信網への連結がローミングであるか否かを判断すること、前記第１通信網への連結がローミングであると判断される場合、前記第２無線通信モジュールの動作を中断すること、及び前記第１通信網と信号を送受信することを含むことを特徴とする。【選択図】図１０
2011259435.tif 000002
【特許請求の範囲】
【請求項１】
第１通信網に対応する第１無線通信モジュールと第２通信網に対応する第２無線通信モジュールとを含むデュアルモード端末でローミングを行う方法であって、
前記第１通信網にキャンプオンしてＰＬＭＮ識別子を獲得することと、
前記ＰＬＭＮ識別子に含まれるローミング判定情報と前記デュアルモード端末に保存されたローミング判定情報とを比較して、前記第１通信網への接続がローミングであるか否かを判断することと、
前記第１通信網への接続がローミングであると判断される場合、前記第２無線通信モジュールの動作を中断することと、
前記第１通信網と信号を送受信することと、
を含む、ローミング方法。
【請求項２】
前記ローミング判定情報は、ＭＣＣである、請求項１に記載のローミング方法。
【請求項３】
前記ローミング判定情報は、ＭＣＣとＭＮＣとの組み合わせである、請求項１に記載のローミング方法。
【請求項４】
前記第１通信網は、ＵＭＴＳ通信網であり、前記第２通信網は、ＬＴＥ通信網である、請求項１に記載のローミング方法。
【請求項５】
前記第１通信網への接続がローミングでないと判断される場合、前記第２無線通信モジュールが動作するか否かを判断することと、
前記第２無線通信モジュールが動作しない場合、前記第２無線通信モジュールの動作を再開することと、
をさらに含む、請求項１に記載のローミング方法。
【請求項６】
前記デュアルモード端末にローミングサービスを提供するシステムは、前記第１通信網のみを備える、請求項１に記載のローミング方法。
【請求項７】
無線通信システムにおけるデュアルモード端末であって、
第１通信網と信号を送受信するための第１無線通信モジュールと、
第２通信網と信号を送受信するための第２無線通信モジュールと、
ローミング判定情報を保存するメモリモジュールと、
前記第１通信網から受信した信号及び前記第２通信網から受信した信号を処理するプロセッサと、を含み、
前記プロセッサは、
前記第１通信網にキャンプオンしてＰＬＭＮ識別子を獲得し、該ＰＬＭＮ識別子に含まれるローミング判定情報と前記デュアルモード端末に保存されたローミング判定情報とを比較して、前記第１通信網への接続がローミングであるか否かを判断し、前記第１通信網への連結がローミングであると判断される場合、前記第２無線通信モジュールの動作を中断する、デュアルモード端末。
【請求項８】
前記ローミング判定情報は、ＭＣＣである、請求項７に記載のデュアルモード端末。
【請求項９】
前記ローミング判定情報は、ＭＣＣとＭＮＣとの組み合わせである、請求項７に記載のデュアルモード端末。
【請求項１０】
前記第１通信網は、ＵＭＴＳ通信網であり、前記第２通信網は、ＬＴＥ通信網である、請求項７に記載のデュアルモード端末。
【請求項１１】
前記プロセッサは、前記第１通信網への接続がローミングでないと判断される場合、前記第２無線通信モジュールが動作するか否かを判断し、前記第２無線通信モジュールが動作しない場合、前記第２無線通信モジュールの動作を再開する、請求項７に記載のデュアルモード端末。
【請求項１２】
前記デュアルモード端末にローミングサービスを提供するシステムは、前記第１通信網のみを備える、請求項７に記載のデュアルモード端末。
【発明の詳細な説明】
【技術分野】
【０００１】
本発明は、マルチモード端末機に係り、特に、マルチモード端末機でローミング中に通信サービスを制限する方法及びそのための装置に関するものである。
【背景技術】
【０００２】
本発明が適用されうる移動通信システムの一例として、Ｅ−ＵＭＴＳネットワーク、すなわち、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、“ＬＴＥ”という。）通信システムについて概略的に説明する。
【０００３】
図１は、移動通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムで、現在３ＧＰＰで基礎的な標準化作業が行われている。一般に、Ｅ−ＵＭＴＳは、ＬＴＥ（Ｌｏｎｇ  Ｔｅｒｍ  Ｅｖｏｌｕｔｉｏｎ）システムとも呼ばれる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ”のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置して外部ネットワークと連結される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に伝送することができる。
【０００５】
一つの基地局は一つ以上のセルに対応している。セルは、１．２５、２．５、５、１０、１５、２０ＭＨｚなどの帯域幅のうちの一つが設定され、複数の端末にダウンリンクまたはアップリンク伝送サービスを提供する。互いに異なるセルにはそれぞれ異なる帯域幅を設定することができる。基地局は、多数の端末に対するデータ送受信を制御する。ダウンリンク（Ｄｏｗｎｌｉｎｋ；ＤＬ）データに対して基地局はダウンリンクスケジューリング情報を伝送して、該当の端末にデータが伝送される時間／周波数領域、符号化、データサイズ、ハイブリッド自動再送要求（Ｈｙｂｒｉｄ  Ａｕｔｏｍａｔｉｃ  Ｒｅｐｅａｔ  ａｎｄ  ｒｅＱｕｅｓｔ；ＨＡＲＱ）関連情報などを知らせる。また、アップリンク（Ｕｐｌｉｎｋ；ＵＬ）データに対して基地局はアップリンクスケジューリング情報を該当の端末に伝送して、該当の端末が使用できる時間／周波数領域、符号化、データ大きさ、ハイブリッド自動再送要求関連情報などを知らせる。基地局間にはユーザトラフィックまたは制御トラフィック伝送のためのインターフェースを用いることができる。基幹網（Ｃｏｒｅ  Ｎｅｔｗｏｒｋ；ＣＮ）は、ＡＧと端末のユーザ登録などのためのネットワークノードなどで構成されることができる。ＡＧは、複数のセルで構成されるＴＡ（Ｔｒａｃｋｉｎｇ  Ａｒｅａ）単位で端末の移動性を管理する。
【０００６】
無線通信技術は、ＵＭＴＳネットワークをベースにしてＬＴＥネットワークの開発にまで至ったが、ユーザと事業者の要求及び期待は高まる一方であり、他の無線接続技術の開発も続いているため、今後の競争力強化の面で新しい技術進化が要求される。ビット当たり費用の減少、サービス可用性の増大、融通性ある周波数バンドの使用、単純構造と開放型インターフェース、端末の適切な電力消費などが要求される。
【発明の概要】
【発明が解決しようとする課題】
【０００７】
本発明の目的は、マルチモード端末機でローミング中に通信サービスを制限する方法及びそのための装置を提供することにある。
【０００８】
本発明で達成しようとする技術的課題は、以上に言及した技術的課題に制限されず、言及していない他の技術的課題は、以下の記載から、本発明の属する技術の分野における通常の知識を有する者には明らかになるであろう。
【課題を解決するための手段】
【０００９】
本発明の一態様である、第１通信網に対応する第１無線通信モジュールと第２通信網に対応する第２無線通信モジュールとを含むデュアルモード端末がローミング（ｒｏａｍｉｎｇ）を行う方法は、第１通信網にキャンプオン（ｃａｍｐ  ｏｎ）してＰＬＭＮ（Ｐｕｂｌｉｃ  Ｌａｎｄ  Ｍｏｂｉｌｅ  Ｎｅｔｗｏｒｋ）識別子を獲得することと、前記ＰＬＭＮ識別子に含まれるローミング判定情報と前記デュアルモード端末に保存されたローミング判定情報とを比較して、前記第１通信網への接続がローミングであるか否かを判断することと、前記第１通信網への接続がローミングであると判断される場合、前記第２無線通信モジュールの動作を中断することと、前記第１通信網と信号を送受信する段階と、を含むことを特徴とする。
【００１０】
好適には、上記方法が、前記第１通信網への接続がローミングでないと判断される場合、前記第２無線通信モジュールが動作するか否かを判断することと、前記第２無線通信モジュールが動作しない場合、前記第２無線通信モジュールの動作を再開することと、をさらに含むことを特徴とする。
【００１１】
一方、本発明の他の態様である、無線通信システムにおけるデュアルモード端末は、第１通信網と信号を送受信するための第１無線通信モジュールと、第２通信網と信号を送受信するための第２無線通信モジュールと、ローミング判定情報を保存するメモリモジュールと、前記第１通信網から受信した信号及び前記第２通信網から受信した信号を処理するためのプロセッサと、を含み、前記プロセッサは、前記第１通信網にキャンプオンしてＰＬＭＮ識別子を獲得し、前記ＰＬＭＮ識別子に含まれたローミング判定情報と前記端末に保存されたローミング判定情報とを比較して、前記第１通信網への接続がローミングであるか否かを判断し、前記第１通信網への連結がローミングであると判断される場合、前記第２無線通信モジュールの動作を中断することを特徴とする。
【００１２】
好適には、前記第１通信網への接続がローミングでないと判断される場合、前記プロセッサが前記第２無線通信モジュールが動作するか否かを判断し、前記第２無線通信モジュールが動作しない場合、前記第２無線通信モジュールの動作を再開することを特徴とする。
【００１３】
ここで、前記ローミング判定情報は、ＭＣＣ（Ｍｏｂｉｌｅ  Ｃｏｕｎｔｒｙ  Ｃｏｄｅ）、またはＭＣＣとＭＮＣ（Ｍｏｂｉｌｅ  Ｎｅｔｗｏｒｋ  Ｃｏｄｅ）との組み合わせであることを特徴とする。
【００１４】
好適には、前記第１通信網はＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）通信網であり、前記第２通信網はＬＴＥ（Ｌｏｎｇ  Ｔｅｒｍ  Ｅｖｏｌｕｔｉｏｎ）通信網である。
【００１５】
一方、前記デュアルモード端末にローミングサービスを提供するシステムは、前記第１通信網のみを備えることを特徴とする。
【発明の効果】
【００１６】
本発明の実施例によれば、無線通信システムのマルチモード端末は、ローミング中に、検証されていないネットワークから提供されるサービスを効果的に制限でき、端末の電力効率を改善することが可能になる。
【００１７】
本発明から得られる効果は、以上に言及した効果に制限されず、言及していない別の効果は、以下の記載から、本発明の属する技術の分野における通常の知識を有する者には明確に理解されるであろう。
【図面の簡単な説明】
【００１８】
【図１】移動通信システムの一例としてＥ−ＵＭＴＳのネットワーク構造を概略的に示す図である。
【図２】Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の構造を概念的に示す図である。
【図３】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図４】３ＧＰＰシステムに用いられる物理チャネル及びこれらのチャネルを用いた一般的な信号伝送方法を説明するための図である。
【図５】デュアルモード端末機の構造を示す図である。
【図６】従来技術に係るＰＬＭＮ（Ｐｕｂｌｉｃ  Ｌａｎｄ  Ｍｏｂｉｌｅ  Ｎｅｔｗｏｒｋ）選択手順を示す図である。
【図７】一般的なローミングサービスを行う過程を説明するための図である。
【図８】従来のローミング技術における問題点を説明するための図である。
【図９】本発明の実施例によるローミング手順を説明するための概念図である。
【図１０】本発明の実施例によるローミング手順を示す図である。
【図１１】３ＧネットワークとＬＴＥネットワークのそれぞれにおいて、ＩＰ  リ−チャブル（ＩＰ  ｒｅａｃｈａｂｌｅ）状態に進入するための過程を説明するための図である。
【図１２】本発明の一実施例による通信送受信機のブロック構成図である。
【発明を実施するための形態】
【００１９】
以下に添付の図面を参照して説明される本発明の実施例から、本発明の構成、作用及び他の特徴が容易に理解されるであろう。以下に説明される実施例は、本発明の技術的特徴が３ＧＰＰシステムに適用された例とする。
【００２０】
図２は、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の構造を概念的に示す図である。
【００２１】
図２を参照すると、Ｅ−ＵＴＲＡＮシステムは、既存ＵＴＲＡＮシステムから進化したシステムである。Ｅ−ＵＴＲＡＮは、セル（ｅＮＢ）から構成され、これらのセルはＸ２インターフェースを介して連結される。セルは、無線インターフェースを介して端末と連結され、Ｓ１インターフェースを介して発展型パケット・コア（Ｅｖｏｌｖｅｄ  Ｐａｃｋｅｔ  Ｃｏｒｅ：ＥＰＣ）に連結される。
【００２２】
ＥＰＣは、移動管理エンティティ（Ｍｏｂｉｌｉｔｙ  Ｍａｎａｇｅｍｅｎｔ  Ｅｎｔｉｔｙ：ＭＭＥ）、Ｓ−ＧＷ（Ｓｅｒｖｉｎｇ−Ｇａｔｅｗａｙ）及びＰＤＮ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に関する情報を有しており、このような情報は端末の移動性管理に主に用いられる。Ｓ−ＧＷは、Ｅ−ＵＴＲＡＮの終端点となるゲートウェイであり、ＰＤＮ−ＧＷは、ＰＤＮ（Ｐａｃｋｅｔ  Ｄａｔａ  Ｎｅｔｗｏｒｋ）の終端点となるゲートウェイである。
【００２３】
図３は、３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは、端末（ＵＥ）とネットワークが呼を管理するために用いる制御メッセージが伝送される通路を意味する。ユーザプレーンは、アプリケーション層で生成されたデータ、例えば、音声データまたはインターネットパケットデータなどが伝送される通路を意味する。
【００２４】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を通じて連結されている。伝送チャネルを通じて媒体接続制御層と物理層間にデータが移動する。送信側の物理層と受信側の物理層との間には物理チャネルを通じてデータが移動する。物理チャネルは、時間及び周波数を無線リソースとして用いる。具体的には、物理チャネルは、ダウンリンクではＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクではＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２５】
第２層における媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて上位層である無線リンク制御（Ｒａｄｉｏ  Ｌｉｎｋ  Ｃｏｎｔｒｏｌ；ＲＬＣ）層にサービスを提供する。第２層におけるＲＬＣ層は、信頼できるデータ伝送を支援する。ＲＬＣ層の機能は、ＭＡＣ内部の機能ブロックにより具現しても良い。第２層におけるＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースにおいてＩＰｖ４やＩＰｖ６のようなＩＰパケットを効率的に伝送するために余分の制御情報を減らすヘッダー圧縮（Ｈｅａｄｅｒ  Ｃｏｍｐｒｅｓｓｉｏｎ）機能を果たす。
【００２６】
第３層の最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワーク間のデータ伝達のために第２層により提供されるサービスを意味する。このために、端末とネットワークのＲＲＣ層は互いにＲＲＣメッセージを交換する。
【００２７】
基地局（ｅＮＢ）に接続される一つのセルには、１．２５、２．５、５、１０、１５、２０ＭＨｚなどの帯域幅のいずれか一つが設定されて、複数の端末にダウンリンクまたはアップリンク伝送サービスを提供する。互いに異なるセルは、それぞれ異なる帯域幅が設定されることができる。
【００２８】
ネットワークから端末にデータを伝送するダウンリンク伝送チャネルは、システム情報を伝送するＢＣＨ（Ｂｒｏａｄｃａｓｔ  Ｃｈａｎｎｅｌ）、ページングメッセージを伝送するＰＣＨ（Ｐａｇｉｎｇ  Ｃｈａｎｎｅｌ）、ユーザトラフィックや制御メッセージを伝送するダウンリンクＳＣＨ（Ｓｈａｒｅｄ  Ｃｈａｎｎｅｌ）などがある。ダウンリンクマルチキャストまたは放送サービスのトラフィックまたは制御メッセージは、ダウンリンクＳＣＨを通じて伝送されても良く、別のダウンリンクＭＣＨ（Ｍｕｌｔｉｃａｓｔ  Ｃｈａｎｎｅｌ）を通じて伝送されても良い。一方、端末からネットワークにデータを伝送するアップリンク伝送チャネルには、初期制御メッセージを伝送するＲＡＣＨ（Ｒａｎｄｏｍ  Ａｃｃｅｓｓ  Ｃｈａｎｎｅｌ）、ユーザトラフィックや制御メッセージを伝送するアップリンクＳＣＨ（Ｓｈａｒｅｄ  Ｃｈａｎｎｅｌ）がある。伝送チャネルの上位に位置し、伝送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２９】
図４は、３ＧＰＰシステムに用いられる物理チャネル及びこれらの物理チャネルを用いた一般的な信号伝送方法を説明するための図である。
【００３０】
端末は、電源が入ったり、新しくセルに進入した場合、基地局と同期を合わせる等の初期セル探索（Ｉｎｉｔｉａｌ  ｃｅｌｌ  ｓｅａｒｃｈ）作業を行う（Ｓ４０１）。このために、端末は基地局から主同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及び副同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信してセル内放送情報を獲得することができる。一方、端末は、初期セル探索段階でダウンリンク参照信号（Ｄｏｗｎｌｉｎｋ  Ｒｅｆｅｒｅｎｃｅ  Ｓｉｇｎａｌ；ＤＬＲＳ）を受信してダウンリンクチャネル状態を確認することができる。
【００３１】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに含まれた情報に応じて物理ダウンリンク共有チャネル（Ｐｈｙｓｉｃａｌ  Ｄｏｗｎｌｉｎｋ  Ｓｈａｒｅｄ  Ｃｈａｎｎｅｌ；ＰＤＳＣＨ）を受信することによってより具体的なシステム情報を獲得することができる（Ｓ４０２）。
【００３２】
一方、基地局に最初に接続したり信号伝送のための無線資源がない場合、端末は基地局に対してランダムアクセス手順（Ｒａｎｄｏｍ  Ａｃｃｅｓｓ  Ｐｒｏｃｅｄｕｒｅ）を行うことができる（Ｓ４０３乃至Ｓ４０６）。このために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして伝送し（Ｓ４０３及びＳ４０５）、ＰＤＣＣＨ及び対応するＰＤＳＣＨを通じてプリアンブルに対する応答メッセージを受信することができる（Ｓ４０４及びＳ４０６）。競合ベースのＲＡＣＨの場合、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３３】
上記のような手順を行った端末は、以降、一般的なアップリンク／ダウンリンク信号伝送手順としてＰＤＣＣＨ／ＰＤＳＣＨ受信（Ｓ４０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）伝送（Ｓ４０８）を行うことができる。特に、端末は、ＰＤＣＣＨを通じてダウンリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含み、その使用目的によって異なるフォーマットを有する。
【００３４】
一方、端末がアップリンクを通じて基地局に伝送する、または端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は、これらＣＱＩ／ＰＭＩ／ＲＩなどの制御情報をＰＵＳＣＨ及び／またはＰＵＣＣＨを通じて伝送することができる。
【００３５】
図５は、デュアルモード端末機の構造を示す図である。
【００３６】
図５を参照すると、デュアルモード端末機は、アプリケーションプロセッサ、第１通信網から受信した信号を処理するための第１モデムプロセッサ、及び第２通信網から受信した信号を処理するための第２モデムプロセッサを含むことができる。ここで、第１通信網は、ＵＴＲＡＮシステムであるＵＭＴＳネットワークであり、第２通信網は、Ｅ−ＵＴＲＡＮシステムであるＬＴＥネットワーク、すなわち、Ｅ−ＵＭＴＳネットワークであると好ましい。
【００３７】
アプリケーションプロセッサは、デュアルモード端末の内部にハードウェア的に一体のモジュールとして構成されることもでき、ＰＣに含まれてデュアルモード端末とは独立的に構成されることもできる。また、アプリケーションプロセッサは、ネットワーク環境に応じて第１通信網または第２通信網への接続状態を管理及び制御するためのＣＭ（ｃｏｎｎｅｃｔｉｏｎ  ｍａｎａｇｅｒ）を含むことができる。
【００３８】
さらにいうと、ＣＭは、ネットワーク接続状態に応じてアプリケーションと２つのプロセッサのいずれか一方（第１モデムプロセッサあるいは第２モデムプロセッサ）との間にデータが送受信されるようにスイッチングする役割を果たす。すなわち、デュアルモード端末が第１通信網と接続されている場合には、アプリケーションデータを、第１モデムプロセッサとアプリケーションとが接続されるようにＡインターフェースで送受信し、デュアルモード端末が第２通信網と接続されている場合には、アプリケーションデータを、第２モデムプロセッサとアプリケーションとが接続されるようにＢインターフェースで送受信する。
【００３９】
ホストインターフェースは、第１モデムプロセッサと第２モデムプロセッサとの間に位置し、両プロセッサ間の制御信号及びデータ信号の伝送に用いられることができる。
【００４０】
図６は、従来技術に係るパブリック・ランド・モービル・ネットワーク（Ｐｕｂｌｉｃ  Ｌａｎｄ  Ｍｏｂｉｌｅ  Ｎｅｔｗｏｒｋ：ＰＬＭＮ）選択手順を示す図である。
【００４１】
まず、端末は、動作が始まると、すなわち、電源が入ると、ＮＡＳ層でＰＬＭＮ選択手順を開始する。次いで、端末は、キャンプオン（Ｃａｍｐ  ｏｎ）するのに適したセルを探すために段階６００のようにセル選択手順を行う。セル選択手順は、周波数スキャンプロシージャ、システム情報ブロックプロシージャ、及び下位層のＲＲＣ設定プロシージャで構成される。
【００４２】
具体的に、段階６０１で周波数スキャンプロシージャをまず行い、キャンプオンするセルのＡＲＦＣＮ（Ａｂｓｏｌｕｔｅ  Ｒａｄｉｏ  Ｆｒｅｑｕｅｎｃｙ  Ｃｈａｎｎｅｌ  Ｎｕｍｂｅｒ；ＵＴＲＡＮに対応）またはＥ−ＡＲＦＣＮ（Ｅ−ＵＴＲＡＮに対応）を獲得する。参考として、周波数スキャンプロシージャのタイプには、全帯域をスキャンするバンドスキャンと、端末に保存されている帯域リストに基づくシステムスキャンとがある。
【００４３】
次に、周波数スキャンプロシージャが完了した後、段階６０２でシステム情報ブロックプロシージャを行う。具体的に、システム情報ブロックプロシージャは、マスター情報ブロックとシステム情報ブロックの受信で構成される。
【００４４】
セル選択手順の最後の段階である段階６０３で、端末は、ＲＲＣ層において下位層、例えば、ＰＨＹ層、ＭＡＣ層、ＲＬＣ層及びＰＤＣＰ層のパラメータを設定する。
【００４５】
セル選択手順が完了すると、段階６０４で端末は該当のセルにキャンプオンし、この時、端末のＮＡＳ層はＲＲＣ層から該当のセルのＰＬＭＮ識別子を獲得する。該ＰＬＭＮ識別子は、国別に固有の値を持つモービル・カントリ・コード（Ｍｏｂｉｌｅ  Ｃｏｕｎｔｒｙ  Ｃｏｄｅ：ＭＣＣ）と事業者別に固有の値を持つモービル・ネットワーク・コード（Ｍｏｂｉｌｅ  Ｎｅｔｗｏｒｋ  Ｃｏｄｅ：ＭＮＣ）との組み合わせでなり、このＭＣＣとＭＮＣとの組み合わせによって、全世界の全通信事業者はそれぞれ唯一のＰＬＭＮ識別子を有することとなる。
【００４６】
図７は、一般的なローミングサービスを行う過程を説明するための図である。
【００４７】
図７を参照すると、端末は、ＰＬＭＮ識別子に含まれた、国別に固有の値を持つＭＣＣを用いてローミングされたか否か判断する。
すなわち、端末は、ＰＬＭＮ選択手順を通じてＰＬＭＮ  ＩＤを受信する度に、ＰＬＭＮ識別子に含まれたＭＣＣと端末に保存された固有のＭＣＣ値とを比較して、両者が一致する場合はホームネットワークの接続と判断し、異なる場合は、該当の端末はローミングされたと判断する。
【００４８】
図８は、従来ローミング技術における問題点を説明するための図である。
【００４９】
図８を参照すると、事業者Ｂのネットワークは、ＵＴＲＡＮ、すなわちＷＣＤＭＡネットワークとｅＵＴＲＡＮ、すなわちＬＴＥネットワークの両方が存在し、事業者Ａのネットワークは、ＷＣＤＭＡネットワークのみ存在している。また、事業者Ｂの加入者端末は、ＷＣＤＭＡネットワーク、ＬＴＥネットワークの両方と通信可能なデュアルモード端末であるとする。
【００５０】
事業者Ｂの加入者端末が事業者Ａのネットワークにローミング（Ｒｏａｍｉｎｇ）によって接続する場合、事業者Ｂのネットワークはホームネットワークとなり、事業者Ａのネットワークは訪問（Ｖｉｓｉｔｅｄ）ネットワークとなる。事業者ＡのネットワークにはＷＣＤＭＡネットワークのみ存在するから、端末はＷＣＤＭＡネットワークと接続してローミングを試みる。このとき、端末のＬＴＥ関連モジュールは継続して動作するから、端末の電力消費は増加してしまう。
【００５１】
図９は、本発明の実施例によるローミング手順を説明するための概念図である。
【００５２】
図９を参照すると、本発明では、端末が特定セルにキャンプオンする際に獲得するＰＬＭＮ識別子を用いてＬＴＥ関連モジュールの動作を中止したり再開したりする機能を提供することを提案する。さらにいうと、事業者Ｂの加入者端末がローミングを通じて事業者ＡのようにＬＴＥネットワークのない国のＵＴＲＡＮシステムにキャンプオンする場合（段階９０１）、ＬＴＥ関連モジュールの動作を停止させ（段階９０２）、ＵＴＲＡＮシステムのＵＭＴＳネットワークにアタッチ（Ａｔｔａｃｈ）する（段階９０３）。
【００５３】
また、事業者Ｂの加入者端末がホームネットワークに復帰する時には、ＬＴＥ関連モジュールを再開させることでＬＴＥネットワークからサービスを受けるようにする方法である。これについて、図１０を参照して詳細に説明する。
【００５４】
図１０は、本発明の実施例によるローミング手順を示す図である。
【００５５】
特に、図１０で、デュアルモード端末は３Ｇネットワーク（ＵＭＴＳネットワーク）及びＬＴＥネットワークと通信可能であり、３Ｇネットワーク、ＬＴＥネットワークの両方を備えた事業者Ｂの加入者端末であるとする。また、事業者Ａは、３Ｇネットワークのみを備えているか、または、３Ｇネットワーク、及び事業者ＢのＬＴＥネットワークと互換不可能なＬＴＥネットワークを備えているとする。
【００５６】
図１０を参照すると、端末の電源がオンとなると、端末は、段階１０００で、図６で説明したＰＬＭＮ選択手順を行う。続いて、段階１００１で、端末がキャンプオンするセルの優先順位を決定する。本実施例では、ＬＴＥネットワークが３Ｇネットワークに比べてキャンプオンするセルの優先順位が高いとする。
【００５７】
段階１００２で端末は、ＰＬＭＮ選択手順で選択されたセルがＬＴＥセルであるか否か判断し、もしＬＴＥセルでないと、段階１０００に戻ってＰＬＭＮ選択手順を再び行い、新しいセルを選択する。もし、選択されたセルがＬＴＥセルであると、端末は、段階１００３で、該当のセルへの接続がローミングであるか否か判断する。ローミングであるか否かの判断は、図７に示す手順に従うとともに、ＰＬＭＮ識別子に含まれたＭＣＣまたはＭＣＣとＭＮＣとの組み合わせを利用することができる。すなわち、端末に保存されたＭＣＣまたはＭＣＣとＭＮＣとの組み合わせが、ＰＬＭＮ選択手順で検出されたＭＣＣまたはＭＣＣとＭＮＣとの組み合わせと一致すると、端末はローミング中ではなく、ホームネットワーク、すなわち事業者ＢのＬＴＥネットワークへの接続であるから、段階１０５０でＬＴＥネットワークへのアタッチ（Ａｔｔａｃｈ）過程を行う。このＬＴＥネットワークへのアタッチ過程は後述される。
【００５８】
また、段階１００３での判断結果、端末に保存されたＭＣＣまたはＭＣＣとＭＮＣとの組み合わせが、ＰＬＭＮ選択手順で検出されたＭＣＣまたはＭＣＣとＭＮＣとの組み合わせと一致しないと、端末はローミング中であって、事業者ＢのＬＴＥネットワークと互換不可能な事業者ＡのＬＴＥネットワークへと接続を試みる場合であるから、段階１００４でデュアルモード端末はＬＴＥ関連モジュールの動作を中止する。続いて、段階１００５でデュアルモード端末は新しくＰＬＭＮ選択手順を行い、選択されたセルが３Ｇネットワークであるか否か判断する。３Ｇネットワークの選択に失敗した場合、段階１０００に戻ってＰＬＭＮ選択手順を再び行う。しかし、選択されたセルが３Ｇネットワークであると、段階１０６０及び段階１０７０で３Ｇネットワークへのアタッチ過程とＰＤＰ（ｐａｃｋｅｔ  ｄａｔａ  ｐｒｏｔｏｃｏｌ）コンテクスト（Ｃｏｎｔｅｘｔ）活性化過程を行う。この３Ｇネットワークへのアタッチ過程とＰＤＰコンテクスト活性化過程についても後述する。
【００５９】
一方、キャンプオンするセルは３ＧネットワークがＬＴＥネットワークよりも優先順位が高い場合、または、ＬＴＥネットワークセル選択後に再び３Ｇネットワークのセルを選択すべき場合には、段階１０００のＰＬＭＮ選択手順で選択されたセルが３Ｇセルであるか否かを段階１００７で判断し、３Ｇセルでないと段階１０００に戻ってＰＬＭＮ選択手順を再び行い、新しいセルを選択する。一方、１００７で３Ｇセルが選択されたと判断されると、端末は、段階１００８で該当セルへの接続がローミングであるか否か判断する。同様に、ローミングであるか否かの判断は、図７に示す手順に従うとともに、ＰＬＭＮ識別子に含まれたＭＣＣまたはＭＣＣとＭＮＣとの組み合わせを用いることができる。すなわち、端末に保存されたＭＣＣまたはＭＣＣとＭＮＣとの組み合わせが、ＰＬＭＮ選択手順で検出されたＭＣＣまたはＭＣＣとＭＮＣとの組み合わせと一致すると、端末は、ローミング中ではなく、ホームネットワーク、すなわち、事業者Ｂの３Ｇネットワークへの接続である。したがって、段階１００９で端末はＬＴＥ関連モジュールが動作中である否かを再び判断する。もし、動作中でないと、段階１０１０でＬＴＥ関連モジュールを動作させ、再び段階１０００のＰＬＭＮ選択手順を行う。これは、端末は事業者Ｂの加入者であり、事業者ＢはＬＴＥネットワークと３Ｇネットワークの両方を備えているので、優先順位の高いＬＴＥネットワークへの接続を試みるためである。特に、段階１０１０は、当該端末が事業者Ａのネットワークから事業者Ｂのネットワークに復帰する場合に適用可能である。
【００６０】
段階１００８での判断結果、端末に保存されたＭＣＣまたはＭＣＣとＭＮＣとの組み合わせが、ＰＬＭＮ選択手順で検出されたＭＣＣまたはＭＣＣとＭＮＣとの組み合わせと一致しないと、端末はローミング中であって、事業者Ａの３Ｇネットワークへと接続を試みる場合であるから、段階１０１１でＬＴＥ関連モジュールが動作中であるか否か判断する。もし、ＬＴＥ関連モジュールが動作していると、段階１０１２でＬＴＥ関連モジュールの動作を中止する。以降、端末は、段階１０６０及び段階１０７０の３Ｇネットワークへのアタッチ過程及びＰＤＰ（ｐａｃｋｅｔ  ｄａｔａ  ｐｒｏｔｏｃｏｌ）コンテクスト（Ｃｏｎｔｅｘｔ）活性化過程を行う。
【００６１】
一方、段階１０５０または段階１０６０〜１０７０を経て端末は段階１０８０のようにＩＰ  リ−チャブル（ＩＰ  ｒｅａｃｈａｂｌｅ）状態に進入し、段階１０９０で３ＧネットワークまたはＬＴＥネットワークと通信を始める。ここで、ＩＰ  リ−チャブル状態とは、端末が、該当のネットワークからＩＰアドレスが割り当てられ、パケットサービスが可能な状態のことをいう。
【００６２】
図１１は、３ＧネットワークとＬＴＥネットワークのそれぞれにおいて、ＩＰ  リ−チャブル状態に進入するための過程を説明するための図である。特に、図１１（ａ）は、３ＧネットワークにおいてＰＤＰ（ｐａｃｋｅｔ  ｄａｔａ  ｐｒｏｔｏｃｏｌ）コンテクスト（Ｃｏｎｔｅｘｔ）活性化過程を示し、図１１（ｂ）は、ＬＴＥネットワークへのアタッチ過程を示す。すなわち、３ＧネットワークのＩＰ  リ−チャブル状態に到達するためには、３Ｇネットワークへのアタッチ過程とＰＤＰコンテクスト活性化過程が要求されるが、ＬＴＥネットワークのこれら両過程が統合されたもので、アタッチ過程のみ存在する。
ここで、ＰＤＰコンテクストとは、外部ＰＤＮ（Ｐａｃｋｅｔ  Ｄａｔａ  Ｎｅｔｗｏｒｋ）への連結のための一つ以上の情報の集合のことをいい、端末とネットワーク間にパケットデータを互いに送受信できるように連結を提供する役割を果たす。
【００６３】
図１１（ａ）を参照すると、端末は３Ｇネットワークへのアタッチ過程を完了した後、３ＧネットワークにＰＤＰコンテクスト活性化要請メッセージを送信する。特に、ＰＤＰコンテクスト活性化要請メッセージは、ＰＤＮ（Ｐａｃｋｅｔ  Ｄａｔａ  Ｎｅｔｗｏｒｋ）タイプを定義し、ＰＤＮタイプにはＩＰｖ４、ＩＰｖ６及びＩＰｖ３ｖ６などが存在する。このＰＤＰコンテクスト活性化要請メッセージを受信したネットワークは、端末にＰＤＰコンテクスト活性化受諾メッセージを伝送する。このＰＤＰコンテクスト活性化受諾メッセージは、端末に割り当てられたＩＰアドレスを含む。
【００６４】
また、図１１（ｂ）を参照すると、端末はＬＴＥネットワークへのアタッチ（Ａｔｔａｃｈ）要請メッセージを送信する。このアタッチ要請メッセージは、ＰＤＮ（Ｐａｃｋｅｔ  Ｄａｔａ  Ｎｅｔｗｏｒｋ）タイプを定義し、ＰＤＮタイプにはＩＰｖ４、ＩＰｖ６及びＩＰｖ３ｖ６などが存在する。このアタッチ要請メッセージを受信したネットワークは、端末にアタッチ（Ａｔｔａｃｈ）受諾メッセージを伝送し、端末はそれに対する応答としてアタッチ（Ａｔｔａｃｈ）完了メッセージをネットワークに伝送する。このアタッチ受諾メッセージは、端末に割り当てられたＩＰアドレスを含む。
【００６５】
すなわち、図１１（ａ）または（ｂ）過程を経た後、端末は、該当のネットワークからＩＰアドレスが割り当てられ、パケットサービス可能な状態、すなわち、ＩＰ  リ−チャブル状態に進入する。
【００６６】
本発明によれば、ネットワーク事業者は、特定地域におけるＬＴＥ関連モジュールの動作するか否かをＭＣＣなどを用いて決定でき、これによって限定的なネットワークサービスを提供することができる。
【００６７】
図１２は、本発明の一実施例による通信送受信機のブロック構成図であり、送受信機は基地局または端末の一部でありうる。
【００６８】
図１２を参照すると、送受信機１２００は、プロセッサ１２１０、メモリー１２２０、ＲＦモジュール１２３０、ディスプレイモジュール１２４０及びユーザインターフェースモジュール１２５０を含む。
【００６９】
送受信機１２００は説明の便宜のために示されたもので、一部のモジュールは省略可能である。また、送受信機１２００は必要なモジュールをさらに含むこともできる。また、送受信機１２００において一部のモジュールはより細分化したモジュールにすることもできる。プロセッサ１２１０は、図面を参照して例示した本発明の実施例による動作を行うように構成される。
【００７０】
具体的には、送受信機１２００が基地局の一部である場合に、プロセッサ１２１０は、制御信号を生成して複数の周波数ブロック内に設定された制御チャネルにマッピングする機能を果たすことができる。また、送受信機１２００が端末の一部である場合に、プロセッサ１２１０は、複数の周波数ブロックから受信された信号から自身に指示された制御チャネルを確認し、当該制御チャネルから制御信号を抽出することができる。
【００７１】
その後、プロセッサ１２１０は、制御信号に基づいて必要な動作を行うことができる。プロセッサ１２１０の詳細な動作は、図１乃至図１１に記載された内容を参照すればいい。
【００７２】
メモリー１２２０は、プロセッサ１２１０に連結され、オペレーティングシステム、アプリケーション、プログラムコード、データなどを保存する。特に、メモリー１２２０は、端末に割り当てられたＭＣＣ及びＭＮＣを保存することができ、これらをローミング判定時に抽出して利用することができる。
【００７３】
ＲＦモジュール１２３０は、プロセッサ１２１０に連結され、基底帯域信号を無線信号に変換したり、無線信号を基底帯域信号に変換する機能を果たす。このために、ＲＦモジュール１２３０は、アナログ変換、増幅、フィルタリング及び周波数アップ変換、またはそれらの逆過程を行う。特に、ＲＦモジュール１２３０は、ＵＭＴＳネットワーク及びＬＴＥネットワークと通信でき、それぞれに関連するモジュールは個別に具現しても良く、一つのモジュールで動作するように具現しても良い。
【００７４】
ディスプレイモジュール１２４０は、プロセッサ１２１０に連結され、様々な情報をディスプレイする。ディスプレイモジュール１２４０は、特に制限されず、例えば、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素とすることかできる。ユーザインターフェースモジュール１２５０は、プロセッサ１２１０と連結され、キーパッド、タッチスクリーンなどのような周知のユーザインターフェースの組み合わせで構成することができる。
【００７５】
以上で説明された実施例は、本発明の構成要素及び特徴が所定の形態で結合されたものである。各構成要素または特徴は、別の明示的な言及がない限り、選択的なものとして考慮しなければならない。各構成要素または特徴は、他の構成要素や特徴と結合しない形態で実施されることができる。また、一部の構成要素及び／または特徴を結合して本発明の実施例を構成することも可能である。本発明の実施例で説明される動作の順序は変更可能である。ある実施例の一部構成や特徴は他の実施例に含まれることもでき、他の実施例の対応する構成または特徴に取って代わることもできる。特許請求の範囲において明示的な引用関係を有しない請求項を結合して実施例を構成することもでき、出願後の補正により新しい請求項として含めることも可能であることは自明である。
【００７６】
本発明の実施例は、主に、基地局と端末とのデータ送受信関係を中心に説明された。本文書で基地局によって行われると説明された特定動作は、場合によっては、基地局の上位ノード（ｕｐｐｅｒ  ｎｏｄｅ）によって行われることもできる。すなわち、基地局を含む複数のネットワークノード（ｎｅｔｗｏｒｋ  ｎｏｄｅｓ）からなるネットワークにおいて端末との通信のために行われる様々な動作は、基地局または基地局以外のネットワークノードによって行われることもできることは自明である。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語にすることもできる。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語にすることもできる。
【００７７】
本発明による実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【００７８】
ファームウェアやソフトウェアによる具現の場合、本発明の一実施例は、以上説明した機能または動作を行うモジュール、手順、関数などの形態とすることができる。ソフトウェアコードは、メモリーユニットに記憶されてプロセッサにより駆動されることができる。メモリーユニットは、プロセッサの内部または外部に設けられて、公知の様々な手段によりプロセッサとデータを交換することができる。
【００７９】
本発明は、本発明の特徴を逸脱しない範囲で、別の特定の形態に具体化できるということは当業者には自明である。したがって、上記の詳細な説明はいずれの面においても制約的に解析してはならず、例示的なものとして考慮しなければならない。本発明の範囲は、添付した請求項の合理的な解析により決定されなければならず、本発明の等価的範囲内における変更はいずれも本発明の範囲に含まれる。
【産業上の利用可能性】
【００８０】
本発明は、無線通信システムに適用されることができる。特に、本発明は、無線通信システムにおいて端末が送信電力残量を報告する方法及びそのための装置に適用されることができる。
【図１】
2011259435.tif 000003
【図２】
2011259435.tif 000004
【図３】
2011259435.tif 000005
【図４】
2011259435.tif 000006
【図５】
2011259435.tif 000007
【図６】
2011259435.tif 000008
【図７】
2011259435.tif 000009
【図８】
2011259435.tif 000010
【図９】
2011259435.tif 000011
【図１０】
2011259435.tif 000012
【図１１】
2011259435.tif 000013
【図１２】
2011259435.tif 000014